(57)【要約】      （修正有）【課題】小型化及び意匠性の向上を図り、さらにコストの低減も図ることができるブラインドの操作装置を提供する。【解決手段】複層ガラスのガラス板１２外面上に移動可能に設けられた操作部４２と、操作部４２と少なくともガラス板１２を挟んで対向し複層ガラス内に移動可能に設けられた従動部４４と、を備える。操作部４２には溝部５０ｄが形成され、溝部５０ｄは操作部４２の移動方向に延びると共に、操作部４２の移動方向と直交する方向において操作部４２の中心線からオフセットされた位置に配置され、操作部４２には溝部５０ｄよりも中心線側の位置に磁石５６が配置される。ガラス板上には操作部の移動方向に延びて溝部に嵌め込まれて操作部４２を案内するガイドリブ４６が設けられ、ガイドリブ４６の両端部には操作部４２の所定量以上の移動を規制するストッパが形成される。【選択図】図４
2014037694.tif 000002
【特許請求の範囲】
【請求項１】
内部にブラインド（２０）を配設した複層ガラス（１０）のガラス板（１２）外面上に移動可能に設けられた操作部（４２）と、操作部と少なくともガラス板を挟んで対向し複層ガラス内に移動可能に設けられた従動部（４４）と、が備えられ、操作部と従動部の一方に磁石（５６、６６）が、他方に磁石（６６、５６）または磁性体が備えられ、ガラス板を介した磁力による吸着力を利用して、操作部の運動を従動部へと伝達してブラインドの回転軸（２４）を回転させることができるブラインドの操作装置において、
操作部（４２）には溝部（５０ｄ）が形成され、溝部（５０ｄ）は操作部（４２）の移動方向に延びると共に、操作部（４２）の移動方向と直交する方向において操作部（４２）の中心線からオフセットされた位置に配置され、操作部（４２）には溝部（５０ｄ）よりも中心線側の位置に磁石（５６）または磁性体が配置されており、ガラス板上には操作部の移動方向に延びて溝部（５０ｄ）に嵌め込まれて操作部（４２）を案内するガイドリブ（４６）が設けられ、ガイドリブ（４６）の両端部には操作部（４２）の所定量以上の移動を規制するストッパ（４６ｂ、４６ｃ）が形成されることを特徴とするブラインドの操作装置。
【請求項２】
ガイドリブ（４６）には操作部（４２）の移動方向と平行にガイド面（４６ｅ）が形成され、操作部（４２）の溝部（５０ｄ）にはガイド面（４６ｅ）に係合する係止部（５０ｅ）が形成され、係止部（５０ｅ）とガイド面（４６ｅ）との係合によって操作部（４２）がガイドリブ（４６）から離間する方向への移動が規制されることを特徴とする請求項１記載のブラインドの操作装置。
【請求項３】
操作部（４２）はガイドリブ（４６）に対してガラス板の正面側から取付けられることを特徴とする請求項１または２記載のブラインドの操作装置。
【請求項４】
操作部（４２）の溝部（５０ｄ）は弾性変形可能となっており、弾性変形することでガイドリブ（４６）の嵌め込みを可能とすることを特徴とする請求項３記載のブラインドの操作装置。
【請求項５】
操作部のガラス板面からの突出高さ寸法は５．５ミリ以下であることを特徴とする請求項１ないし４のいずれか１項に記載のブラインドの操作装置。
【発明の詳細な説明】
【技術分野】
【０００１】
本発明は、複層ガラス内に設けられたブラインドを操作するための操作装置に関する。
【背景技術】
【０００２】
このようなブラインドの操作装置としては、特許文献１のブラインド内蔵複層ガラスの操作装置が知られている。これに示されるブラインド内蔵複層ガラスは、方形枠状に上下左右のスペーサを連結し、このスペーサの両面を２枚のガラス板で挟んで構成される複層ガラス内に梯状の吊り紐を介して角度調整可能なブラインドを吊設して構成されており、その操作装置としては、複層ガラスの外面に上下移動可能に設けられた操作部と、複層ガラス内の側部のスペーサに沿って上下移動可能に設けられ、操作部に磁力で吸着されて操作される被操作部とから構成される。そして、側部および上部のスペーサに沿って直線運動を伝達する可撓性を有する伝達部材が、上記被操作部から上隅部の曲線状ガイド部にガイドされて、上部のスペーサ内に配置したプーリを回動操作して梯状の吊り紐を駆動し、ブラインドのスラットを回転操作するように構成されている。
【０００３】
操作部は、上下にガイド片部を一体的に有しており、これらガイド片部を含む操作部がガラス板の外面に取付けフレームを介して上下方向に移動可能に取付けられている。即ち、取付けフレームは、ガラス板の外面に両面粘着テープ、接着剤等で固定されており、操作部は取付けフレーム内に配設されて、操作部の両側部に形成される突部が取付けフレームの内周の両側部に形成される溝に上下方向に移動可能に嵌り合っているとともに、操作部の上下方向の可動範囲は、操作部の上下のガイド片部が取付けフレームの上端及び下端に当接することで規制されている。
【先行技術文献】
【特許文献】
【０００４】
【特許文献１】特開平１１−８１８２１号公報
【発明の概要】
【発明が解決しようとする課題】
【０００５】
このように特許文献１で提案される操作部は、取付けフレーム内に配設される構成であるため、取付けフレームの大きさは操作部よりも当然大きくなる。このため、ガラス板の外面に取り付けられる取付けフレームを含む操作装置が大型化し、見栄えが悪く、さらにコストも高くなるという問題がある。
【０００６】
本発明はかかる課題に鑑みなされたもので、小型化及び意匠性の向上を図り、さらにコストの低減も図ることができるブラインドの操作装置を提供することをその目的とする。
【課題を解決するための手段】
【０００７】
前述した目的を達成するために、請求項１記載の発明は、内部にブラインドを配設した複層ガラスのガラス板外面上に移動可能に設けられた操作部と、操作部と少なくともガラス板を挟んで対向し複層ガラス内に移動可能に設けられた従動部と、が備えられ、操作部と従動部の一方に磁石が、他方に磁石または磁性体が備えられ、ガラス板を介した磁力による吸着力を利用して、操作部の運動を従動部へと伝達してブラインドの回転軸を回転させることができるブラインドの操作装置において、
操作部には溝部が形成され、溝部は操作部の移動方向に延びると共に、操作部の移動方向と直交する方向において操作部の中心線からオフセットされた位置に配置され、操作部には溝部よりも中心線側の位置に磁石または磁性体が配置されており、ガラス板上には操作部の移動方向に延びて溝部に嵌め込まれて操作部を案内するガイドリブが設けられ、ガイドリブの両端部には操作部の所定量以上の移動を規制するストッパが形成されることを特徴とする。
【０００８】
請求項２記載の発明は、請求項１記載の発明において、ガイドリブには操作部の移動方向と平行にガイド面が形成され、操作部の溝部にはガイド面に係合する係止部が形成され、係止部とガイド面との係合によって操作部がガイドリブから離間する方向への移動が規制されることを特徴とする。
【０００９】
請求項３記載の発明は、請求項１または２記載の発明において、操作部はガイドリブに対してガラス板の正面側から取付けられることを特徴とする。
【００１０】
請求項４記載の発明は、請求項３記載の発明において、操作部の溝部は弾性変形可能となっており、弾性変形することでガイドリブの嵌め込みを可能とすることを特徴とする。
【００１１】
請求項５記載の発明は、請求項１ないし４のいずれか１項に記載の発明において、操作部のガラス板面からの突出高さ寸法は５．５ミリ以下であることを特徴とする。
【発明の効果】
【００１２】
本発明によれば、操作部の溝部の位置と磁石または磁性体の位置とが操作部の移動方向と直交する方向においてずれているため、操作部の突出高さ寸法を小さく設定でき、操作部を小型化することができ意匠性も向上させることができる。溝部を、操作部の移動方向と直交する方向において操作部の中心線からオフセットされた位置とし、磁石または磁性体を操作部の移動方向と直交する方向において操作部の中心線側の位置とすることで、磁石または磁性体の部品点数を抑えて低コストを図りつつ、従動部の磁石または磁性体と対向する面積を大きくとることができて、十分な吸着力を発生させることができる。
【００１３】
また、溝部にガイドリブを嵌め込んで、操作部をガイドリブで案内するようにしたために、操作装置を小型化することができ意匠性も向上させることができる。さらにガイドリブの両端部にはストッパが設けられるため、操作部のガイドリブからの脱落を防止することができる。
【図面の簡単な説明】
【００１４】
【図１】本発明の操作装置を適用したブラインドの部分破断正面図である。
【図２】図１の操作装置の操作部を示す拡大斜視図である。
【図３】図１の操作装置の鉛直方向に沿って見た断面図である。
【図４】操作部をガイドリブに取付ける手順を示す断面図であり、（ａ）は操作部の位置合わせをしている状態を示し、（ｂ）は操作部をガイドリブに押し込み始めたときの状態を示し、（ｃ）は操作部のガイドリブへの取付けが完了した状態を示す。
【図５】スラットが水平状態のときの操作部とガイドリブとの関係を示し、（ａ）は正面図を、（ｂ）は側断面図を、（ｃ）は背面図を、それぞれ示す。
【図６】スラットが垂直状態のときの操作部とガイドリブとの関係を示し、（ａ）は正面図を、（ｂ）は側断面図を、（ｃ）は背面図を、それぞれ示す。
【図７】スラットが水平状態のときのブラインドの正面図である。
【図８】スラットが垂直状態のときのブラインドの正面図である。
【発明を実施するための形態】
【００１５】
図面に基づいて本発明の実施の形態を説明する。
図１に示すように、複層ガラス１０は、方形枠状に上下左右のスペーサ１４を連結し、このスペーサ１４の前後面を２枚のガラス板１２で挟んで構成され、ガラス板１２で挟まれた内部空間１６を画成しており、この内部空間１６内にブラインド２０が配設される。
【００１６】
ブラインド２０は、上枠２２ａ、下枠２２ｂ及び一対の縦枠２２ｃからなるフレーム２２と、上枠２２ａ内で水平方向に延び回転可能に支持された回転軸２４と、回転軸２４上に回転軸２４と一体に回転可能に設けられた回転ドラム２５と、回転ドラム２５に上端が連結されて回転ドラム２５の回転に従動して傾動するラダーテープ２８と、ラダーテープ２８に整列状態に支持される多数のスラット２６と、スラット２６列の下方に配設され、ラダーテープ２８の下端が連結されるとともに下枠２２ｂ内に昇降が規制されて支持されるボトムレール３０と、一方の縦枠２２ｃ内で鉛直方向に延び回転可能に且つ上下に移動不能に支持された伝達軸３２と、伝達軸３２と回転軸２４との間に設けられた伝達機構３４と、を備える。
【００１７】
伝達機構３４は、互いに直交する方向に延びる回転軸２４と伝達軸３２のそれぞれの端部において、その回転方向を変換して伝達するためのもので、かさ歯車やはすば歯車などによって構成され、伝達軸３２からの回転を回転軸２４に伝達するようになっている。伝達軸３２の外周面には、雄ネジ３２ａが形成されており、この伝達軸３２を回転操作するために、操作装置４０が設けられる。
【００１８】
操作装置４０は、複層ガラス１０のガラス板１２外面上に移動可能に設けられた操作部４２と、操作部４２と少なくともガラス板１２を挟んで対向し複層ガラス１０内に移動可能に設けられた従動部４４と、操作部４２を摺動自在に案内するガイドリブ４６と、から構成される。
【００１９】
操作部４２は、図２〜図４に示すように、ケース本体５２とケース本体５２に嵌合するカバー５４とからなる直方体状のケース５０と、ケース５０の磁石収納部５０ｂ内に収容される磁石５６とを備える。
【００２０】
ケース５０のガラス板１２面に対向する面には、ガラス板１２面方向に突出する複数の突起５０ａが形成されており、これら突起５０ａの先端がガラス板１２面に当接している。
【００２１】
また、ケース５０には、ケース本体５２の一側面から一体的に延設されて、ガイドリブ４６方向に突出する嵌合部５０ｃが設けられる。嵌合部５０ｃは、ケース５０の水平方向（即ち、操作部４２の移動方向に直交する方向）において見て、その中心線からオフセットされた位置に配置される。これに対して、磁石収納部５０ｂに収容された磁石５６は、中心線を含む位置に配置される。
【００２２】
嵌合部５０ｃは、この例では上下に２カ所において、鉛直方向に延びる溝部５０ｄを画成しており、溝部５０ｄの入口側には、互いに接近する方向に突出する一対の係止部５０ｅが形成される。溝部５０ｄは、一対の係止部５０ｅの距離が変化することで、弾性変形可能となっている。
【００２３】
磁石５６を収容する磁石収容部５０ｂと溝部５０ｄとの位置とが重複せずに水平方向にずれているため、操作部４２のケース５０のガラス板１２面からの突出高さを低く抑えることができる。好ましくは、操作部４２のガラス板１２面からの突出高さは所定寸法以下に設定されているとよい。この所定寸法とは、複層ガラスを引き違い窓に使用したときに、複層ガラス１０と窓サッシとの段差寸法に、引き違う窓サッシ同士の隙間寸法を加えた大きさであり、具体的には、５．５ｍｍ以下とされるとよい。
【００２４】
また、磁石収納部５０ｂが溝部５０ｄによって分断・分割されないため、大きな磁石を磁石収納部５０ｂに収納することができて、磁石５６の数を抑えて低コストを図ることができると共に、従動部４４の磁石６６との対向面積を大きくして、十分な吸着力を発生させることができる。
【００２５】
従動部４４は、図３及び図４に示すように、一方の縦枠２２ｃ内で上下に摺動可能に配設されており、ケース本体６２とケース本体６２に嵌合するカバー６４とからなる直方体状のケース６０と、ケース６０内に収容される磁石６６と、同じくケース６０内に収容されるスペーサ６８と、を備える。操作部４２のケース５０と従動部４４のケース６０とは互いに対向する面がほぼ同じ大きさとされている。
【００２６】
ケース６０の縦枠２２ｃに対向する面には、それぞれが対面する縦枠２２ｃ方向に突出する複数の突起６０ａが形成されており、これら突起６０ａの先端がそれぞれ縦枠２２ｃに当接している。
【００２７】
ケース６０には、ケース本体６２の一側面から一体的に延設されて、伝達軸３２方向に突出する連結部６０ｂが設けられる。連結部６０ｂには、雌ネジ６０ｄが形成され伝達軸３２が貫通する貫通ネジ孔６０ｃが形成されており、貫通ネジ孔６０ｃの雌ネジ６０ｄに伝達軸３２の雄ネジ３２ａが螺合している。これにより、連結部６０ｂが上下動することによって、上下に移動不能となった伝達軸３２が回転することができるようになっている。
【００２８】
ガイドリブ４６は、一方の縦枠２２ｃ上のガラス板１２面上に両面テープ等の固定手段で固定されており、従動部４４に対して伝達軸３２がある側とは反対側の位置に、且つ長手方向が従動部４４の摺動方向と平行になるように、即ち、鉛直方向に配置されている。ガイドリブ４６は、上下両端部以外の部分の横断面形状が略Ｔ字形状をしており、Ｔ字の底面４６ａがガラス板１２面に固定される。また、ガイドリブ４６の上下両端部は、ガラス板１２面に固定されるストッパ４６ｂ、４６ｃとなっている。
【００２９】
Ｔ字の横方向に延びる頂部４６ｄに操作部４２の溝部５０ｄが嵌合し、頂部４６ｄの裏面のガイド面４６ｅに、操作部４２の係止部５０ｅが係止するようにして、ガイドリブ４６が操作部４２の溝部５０ｄに嵌め込まれる。ガイドリブ４６の長さ寸法は、従動部４４の摺動範囲に対応した大きさ、即ち、回転軸２４に全回転角度範囲の回転を伝達するために必要な、伝達軸３２が回転する角度範囲を回転させるための従動部４４の摺動範囲とされている。
【００３０】
ガイドリブ４６への操作部４２の組み付け方法は、まず、図４（ａ）に示すように、ガラス板１２面上にガイドリブ４６のみを両面テープ等で固定する。このとき、操作部４２と従動部４４との間で発生し得る磁力が作用しない中で、ガイドリブ４６のみをガラス板１２面上に固定することができるため、ガイドリブ４６の位置決めや固定作業が容易に行える。
【００３１】
次に、操作部４２のケース５０と従動部４４のケース６０とが対向し、操作部４２の溝部５０ｄがガイドリブ４６の頂部４６ｄに対して平行に位置するように、操作部４２の位置決めを行う。
【００３２】
次に、図４（ｂ）に示すように、図４（ａ）の姿勢を保ちつつ操作部４２をガラス板１２方向へ移動させ、操作部４２の係止部５０ｅをガイドリブ４６の頂部４６ｄに押し付ける。これにより、操作部４２の溝部５０ｄが弾性変形し、一対の係止部５０ｅの間隔がガイドリブ４６の頂部４６ｄによって押し広げられる。
【００３３】
操作部４２の係止部５０ｅをガイドリブ４６の頂部４６ｄ方向にさらに押し付けると、図４（ｃ）に示すように、操作部４２の一対の係止部５０ｅがガイドリブ４６の頂部４６ｄを乗り越え、ガイド面４６ｅ側に移動する。これにより、ガイドリブ４６が溝部５０ｄに嵌め込まれ、操作部４２がガイドリブ４６に取付けられる。操作部４２のガイドリブ４６から離隔する方向への移動は、操作部４２の係止部５０ｅがガイドリブ４６のガイド面４６ｅに係合するため規制される。
【００３４】
このように、あらかじめガラス板１２面にガイドリブ４６を固定した後、ガイドリブ４６に操作部４２を取付ける構成であるため、操作部４２を正確な位置に取付けることができる。
【００３５】
また、仮に、操作部４２をガイドリブ４６に対して端部からスライドさせて嵌め込むようにすると、操作部４２の磁石５６と従動部４４の磁石６６とが反発して従動部４４が逃げてしまい、操作部４２のケース５０と従動部４４のケース６０とを対向して取付けることができない可能性がある。その上、ガイドリブ４６のストッパ４６ｂ、４６ｃが邪魔になる可能性もある。しかしながら、操作部４２をガイドリブ４６に対してガラス板１２面の正面側から取付けることで、操作部４２の磁石５６と従動部４４の磁石６６の作用による反発を回避しながら組み付けることができ、ストッパ４６ｂ、４６ｃが邪魔になることもない。
【００３６】
このように組み付けられた操作部４２は、図３に示すように、磁石５６が従動部４４の磁石６６と重なり合うように配設され、これら磁石５６及び６６との間で発生する磁力により操作部４２と従動部４４が互いに吸着した状態となっている。よって、操作部４２は自重によって落下することなく、所定の高さ位置に保持されている。また、意図的に操作部４２を上下方向に摺動させると、従動部４４が操作部４２と一体に上下方向に摺動し、伝達軸３２が回転することになる。また、操作部４２は、ガイド面４６ｅに沿ってガイドリブ４６を上下方向に摺動するが、ガイドリブ４６の上下両端部のストッパ４６ｂ、４６ｃによりそれ以上の移動が規制される。
【００３７】
こうして、操作部４２の係止部５０ｅとガイドリブ４６のガイド面４６ｅとの係合と、ガイドリブの上下端部のストッパ４６ｂ、４６ｃにより、操作部４２のガイドリブ４６からの脱落が防止されている。
【００３８】
次に本実施の形態の作用について説明する。
図５に示すように、操作部４２がガイドリブ４６の上下方向中間位置にあるときは、図７に示すように、スラット２６は水平な状態にあり、スラット２６越しに人のシルエット７０や景色などが見える。
【００３９】
この状態から、操作部４２をガイドリブ４６に沿って上昇させると、操作部４２と一体に従動部４４が上昇し、伝達軸３２が回転する。この伝達軸３２の回転が回転軸２４に伝達し、ラダーテープ２８が傾動して、スラット２６が回転していく。そして、操作部４２の係止部５０ｅがガイドリブ４６の上端のストッパ４６ｂに当接する位置、即ち、図６の実線で示す位置まで上昇すると、スラット２６がほぼ垂直な全閉状態になるまで回転する。これにより、上下に隣り合うスラット２６の上下端部同士が重なり合い、スラット２６によってガラス板１２面が閉鎖されることになる。これにより、図８に示すように、スラット２６越しに人のシルエット５０などが見えなくなり、ガラス板１２越しに室内に侵入する日光や、外部の人の視線なども遮断することができる。
【００４０】
また、図６の実線で示す位置から、操作部４２をガイドリブ４６に沿って下降させると、操作部４２と一体に従動部４４が下降し、伝達軸３２が上昇時とは反対回りに回転する。これにより、回転軸２４も上昇時とは反対回りに回転し、ラダーテープ２８が上昇時とは反対方向に傾動する。そして、操作部４２を図６の仮想線で示す位置、即ち、操作部４２の係止部５０ｅがガイドリブ４６の下端のストッパ４６ｃに当接する位置まで下降すると、スラット２６が１８０度反転した垂直な全閉状態になる。これにより、上昇時と同様に、上下に隣り合うスラット２６の上下端部同士が重なり合い、スラット２６によってガラス板１２面が閉鎖され、図８に示すように、スラット２６越しに人のシルエット７０などが見えなくなり、ガラス板１２越しに室内に侵入する日光や、外部の人の視線なども遮断することができる。ただし、スラット２６が断面円弧形の形状を有している場合、操作部４２の上昇時と下降時とでは、垂直になったスラット２６の凸面の向きが前後逆方向になる。
【００４１】
以上のように、本発明においては、操作部４２の溝部５０ｄにガイドリブ４６を嵌め込んで、操作部４２の移動をガイドリブ４６で案内するようにしたために、操作装置４０を小型化することができ意匠性も向上させることができる。
【００４２】
操作部４２の溝部５０ｄは、嵌合部５０ｃの上下全長に亘り設けてもよいが、本例のように、分散して複数個所設けることにより、操作部４２をガイドリブ４６に対して摺動させるときの摺動抵抗を軽減することができる。また、操作部４２をガイドリブ４６に取付けるときに、係止部５０ｅを含めた溝部５０ｄの弾性変形を容易に行わせることができる。
【００４３】
尚、以上の実施形態では、操作部４２と従動部４４のそれぞれに磁石を設けて、互いの磁石によって発生する吸着力を利用していたが、これに限るものではなく、操作部４２と従動部４４のいずれか一方は、磁石に替えて磁性体とするか、または、磁石と磁性体の組み合わせとすることもできる。
【００４４】
また、以上の実施形態では、回転軸２４の回転に従動してスラット２６の回転が行われるようになっていたが、これに限るものではなく、回転軸２４の回転によりブラインド２０の任意の動作が行われるようにしてもよい。
【符号の説明】
【００４５】
１０  複層ガラス
１２  ガラス板
２０  ブラインド
２４  回転軸
４０  操作装置
４２  操作部
４４  従動部
４６  ガイドリブ
４６ｂ、４６ｃ  ストッパ
４６ｅ  ガイド面
５０ｄ  溝部
５０ｅ  係止部
５６  磁石
６６  磁石
【図１】
2014037694.tif 000003
【図２】
2014037694.tif 000004
【図３】
2014037694.tif 000005
【図４】
2014037694.tif 000006
【図５】
2014037694.tif 000007
【図６】
2014037694.tif 000008
【図８】
2014037694.tif 000009
【図７】
2014037694.tif 000010